(57)【要約】【課題】掃除機でゴミと空気を一緒に吸い取った後ゴミで汚れた空気は不快な臭気をそのまま放出していた。また、掃除機の排気は後部に排出されていたため、排気によりほこりを舞い上がらせていたためほこりが完全に取りのぞけなかった。【解決手段】蓋付箱の蓋つき面を背面とし、蓋に掃除機からの排気を受ける吸気口を設ける。前面、両側面、背面に排気口を設け、箱の中を背面と前面をそれぞれに2分割するように仕切り板を設け、箱の両側面、前面からの排気を上から出せるように底部を封止したダクトを設ける。その箱を掃除機の排気口に取り付け、2分割したそれぞれの箱に芳香剤とマイナスイオン発生剤をいれた掃除機用排気清浄器。【選択図】  図1
0003113578.tif 000002
【実用新案登録請求の範囲】
【請求項１】
蓋付箱の蓋つき面を背面とし、背面に掃除機からの吸気口を設け、蓋、前面、両側面に排気口を設ける。箱の中を背面と前面をそれぞれに2分割するように仕切り板を設け、2分割したそれぞれの箱に芳香剤及びマイナスイオン発生剤を入れた掃除機排気清浄器。
【請求項２】
蓋付箱の蓋つき面を背面とし、背面に掃除機からの吸気口を設け、蓋、前面、両側面に排気口を設け箱の中を背面と前面をそれぞれに2分割するように仕切り板を設け、掃除機からの排気による後方部のほこりの舞い上がりを減少させるため、箱の両側面、前面に底部を封止した排気ダクトを設け、掃除機の排気が上に出るようにした。
【考案の詳細な説明】
【技術分野】
【０００１】
本考案は、掃除機の排気口に取り付ける排気清浄器に関するものである。
【背景技術】
【０００２】
掃除機はゴミと空気を一緒に吸い取り、ゴミだけを取り除いて吸い込んだ空気はそのまま放出していたため、不快臭が出るのと排気が背面に出ていたため掃除機の後部
のほこりが舞い上がり、掃除が終わった後床付近に滞留する状況になっていた。
【０００３】
この改善策として掃除機の排気口に芳香剤とマイナスイオン剤を取り付け、掃除機使用時に掃除機の排気により芳香とマイナスイオンを拡散することで不快臭を取り除き、排気を上に放出する事でほこりの舞い上がりを減少する。
【考案の開示】
【考案が解決しようとする課題】
【０００４】
解決しようとする問題点は、掃除機でゴミと空気を一緒に吸い取った後ゴミで汚れた空気は不快な臭気をそのまま放出していた。また、掃除機の排気は後部に排出されていたため、排気によりほこりを舞い上がらせていたためほこりが完全に取り除けなかった。
【課題を解決するための手段】
【０００５】
蓋付箱の蓋つき面を背面とし、背面(1)に掃除機からの排気を取り入れる吸気口(2)を設け、蓋(3)、前面(4)、両側面(5)に排気口(6)を設ける。箱の中を背面と前面をそれぞれに2分割するように仕切り板(7)を設ける。箱の両側面(5)、前面(4)に底部を封止した排気ダクト(8)を設け排気が上に出るようにする。その箱を掃除機(9)の排気口(10)に固定する。2分割したそれぞれの箱に芳香剤（11）とマイナスイオン発生剤(12)を入れる。
【考案の効果】
【０００６】
掃除機を使用して掃除をしている時、ゴミを吸い取った後の不快な臭気は芳香剤とマイナスイオン発生剤を通過することにより排気が清浄化されるのと同時に、排気流速が減少し上向きの排気口により、上に排気するため掃除機の後部でゴミを拡散させる状況が減少し掃除の効果を高める。
【考案を実施するための最良の形態】
【０００７】
蓋付箱の蓋つき面を背面とし、背面に掃除機からの排気を取り入れる吸気口を設け、蓋、前面、両側面に排気口を設ける。箱の中を背面と前面をそれぞれに2分割するように仕切り板を設けることにより箱の内部に排気口を設けた箱が2個出来、その箱の両側面と前面のみに底部を封止した排気ダクトを設け排気が上に出るようにし、その箱を掃除機の排気口に固定し、2分割したそれぞれの箱に芳香剤とマイナスイオン剤を入れ蓋をする。掃除機から出る不快な排気が芳香剤とマイナスイオン剤を通ることにより不快臭を取り除き、排気ダクトにより掃除機の上部に排気することで掃除機後部のほこりの舞い上がりを減少させることを実現した。
【０００８】
図1は本考案の1実施例の斜視図であって前面から見た全体図を表した図である。
蓋付箱の蓋つき面を背面とし、背面に掃除機からの排気を取り入れる吸気口を設け、蓋、前面、両側面に排気口を設ける。箱の中を背面と前面をそれぞれに2分割するように仕切り板を設けることにより、箱の内部は排気口を設けた空間が2個出来る。その箱の両側面、前面に底部を封止した排気ダクトを設け排気が上に出るようにする。2分割したそれぞれの箱に芳香剤とマイナスイオン剤を入れ蓋をする。掃除機から出る不快な排気が芳香剤とマイナスイオン剤を通ることにより不快臭を取り除き、排気ダクトにより掃除機の上に排気することで掃除機後部のほこりの舞い上がりを減少させることを実現した。
【０００９】
図２は本考案の背面から見た実施例の全体図である。
排気清浄器の背面は、掃除機から出る排気の受け口として、排気口を開放のままとし、箱の中に設けた仕切り板により、排気は芳香剤の中を通過して芳香として排気される空気とマイナスイオン剤の中を通過してマイナスイオンとして排気される空気とに別れそれぞれに不快な臭気を取り除き、箱の両側面、前面に底部を封止した排気ダクトの設置により排気が上に出ることで掃除機の後部のほこりの舞い上がりを減少させることを実現した。
【００１０】
図3は本考案を掃除機の排気口に取り付けた実施例で掃除機と一体となった全体図である。
排気口を開放した背面部を掃除機の排気口に取り付け、掃除機の排気を芳香剤とマイナスイオン剤に通し不快臭をなくして掃除機上部に排気してほこりの舞い上がりを減少させることを実現した。
【００１１】
図4は掃除機製造工程において排気清浄器を設けた、掃除機全体図である。
掃除機の製造工程において掃除機の排気部に排気ダクトを設け、そこに芳香剤とマイナスイオン剤を入れる空間を確保し、芳香剤とマイナスイオン剤を通過した排気は掃除機の上部から排気するように、掃除機の上部に排気口を設けてもよい。
【図面の簡単な説明】
【００１２】
【図１】掃除機排気清浄器の実施形態を示した前面斜視説明図である（実施例1）
【図２】掃除機排気清浄器の実施形態を示した背面斜視説明図である（実施例2）
【図３】掃除機に排気清浄器を取り付けた実施形態の説明図である（実施例3）
【図４】掃除機の製造工程で排気清浄器を組み込んだ説明図である（実施例4）
【符号の説明】
【００１３】
1  背面
2  吸気口
3  蓋        
4  前面  
5  側面  
6  排気口
7  仕切り板
8  排気ダクト
9  掃除機
１0  掃除機排気口
１1  芳香剤
１２ マイナスイオン剤
【図１】
0003113578.tif 000003
【図２】
0003113578.tif 000004
【図３】
0003113578.tif 000005
【図４】
0003113578.tif 000006
【手続補正書】
【提出日】平成17年6月16日(2005.6.16)
【手続補正１】
【補正対象書類名】実用新案登録請求の範囲
【補正対象項目名】全文
【補正方法】変更
【補正の内容】
【実用新案登録請求の範囲】
【請求項１】
蓋付箱の蓋つき面を背面として、背面に掃除機からの排気を受ける吸気口を設け、蓋、前面、両側面に排気口を設けて箱の中を背面と前面をそれぞれに2分割するように仕切り板を設けた後、箱の両側面、前面に底部を封止した排気ダクトを設けて2分割したそれぞれの箱に芳香剤及びマイナスイオン発生剤を入れ、掃除機の排気を清浄することを特徴とする掃除機排気清浄器。
【請求項２】
実用新案登録第1項記載の掃除機排気清浄器において、排気清浄器から放出される排気を上に排気することで掃除機からの排気による掃除機後方部床面付近のほこりの舞い上がりを減少させることを特徴とした掃除機排気清浄器。